【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
複数の石油精製プラントを含む原油精製施設で実施される方法であって：
前記複数の石油精製プラントはそれぞれ、少なくとも１つの石油精製プロセスを実行するように構成され、前記複数の石油精製プラントはそれぞれ、複数の相互接続された石油精製サブシステムを含み、複数のストリームがそれぞれの温度で、前記複数の石油精製サブシステム間を流れる、前記原油精製施設における下記のステップ：
ディーゼル水素処理プラントストリームを、前記複数の石油精製プラントのうちのディーゼル水素処理プラントから第１の熱交換器へ流すステップであって、前記ディーゼル水素処理プラントストリームは、ディーゼルストリッパ塔底生成物ストリーム及びディーゼルストリッパ塔頂ストリームのうちの少なくとも１つを備える、ステップと；
ストリームを、前記複数の石油精製プラントのうちの第１の石油精製プラントから前記第１の熱交換器へ流すステップであって、前記第１の石油精製プラントは、前記ディーゼル水素処理プラントとは異なると共に、硫黄回収プラント、アミン再生プラント、サワーウォータストリッパプラント及びＣ２からＣ４の少なくとも１つを含むガス分離プラントストリームが流れるガス分離プラントのうちの少なくとも１つを備え、前記第１の熱交換器は、熱を、前記ディーゼル水素処理プラントストリームから前記第１の石油精製プラントからの前記ストリームへ伝達する、ステップと；
前記第１の石油精製プラントにおける石油精製プロセスで前記ディーゼル水素処理プラントストリームによって加熱された前記第１の石油精製プラントからの前記ストリームを利用するステップと；
を備える、
方法。
【請求項２】
前記第１の石油精製プラントは前記硫黄回収プラントであり、前記ストリームは硫黄回収プラントストリームであり、
前記石油精製プロセスの前記ディーゼル水素処理プラントストリームによって加熱された前記第１の石油精製プラントからの前記ストリームを利用する前記ステップは：
前記ディーゼル水素処理プラントストリームによって加熱された前記硫黄回収プラントストリームを、第２の熱交換器へ流すステップと；
前記複数の石油精製プラントのうちの石油精製ガス分離プラント内の石油精製ガス分離プラントストリームを、前記第２の熱交換器へ流すステップと；
前記第２の熱交換器において、加熱された前記硫黄回収プラントストリームを用いて、前記石油精製ガス分離プラントストリームを加熱するステップと；
を備える、
請求項１に記載の方法。
【請求項３】
前記第１の石油精製プラントからの前記ストリームはアミン再生塔底ストリームを含み、前記アミン再生塔底ストリームは、前記ディーゼル水素処理プラントストリームを用いて、以下のステップ：
前記アミン再生塔底ストリームを、第１のストリーム及び第２のストリームに分割するステップと；
前記第１のストリームを、前記第１の熱交換器において前記ディーゼル水素処理プラントの前記ディーゼルストリッパ塔底生成物ストリームを用いて加熱するステップと；
前記第２のストリームを、第２の熱交換器において前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの合流ストリームを、前記硫黄回収プラント内のアミン再生塔へ流すステップと；
により直接的に加熱される、
請求項１に記載の方法。
【請求項４】
前記第１の熱交換器及び前記第２の熱交換器は、互いに並列に流体的に連結される、
請求項３に記載の方法。
【請求項５】
前記第１の熱交換器を通って流された前記ディーゼルストリッパ塔底生成物ストリームを、前記石油精製ガス分離プラント内のガス分離リボイラ側へ流すステップと；
をさらに備える、
請求項３に記載の方法。
【請求項６】
ガス分離プラント脱エタン塔ストリームを、第３の熱交換器で、前記ディーゼルストリッパ塔底生成物ストリームを用いて加熱するステップと；
Ｃ３／Ｃ４スプリッタ塔底ストリームを、第４の熱交換器で、前記ディーゼルストリッパ塔底生成物ストリームを用いて加熱するステップと；
をさらに備える、
請求項５に記載の方法。
【請求項７】
前記第３の熱交換器を出る前記ディーゼルストリッパ塔底生成物ストリームと、前記第４の熱交換器を出る前記ディーゼルストリッパ塔底生成物ストリームとを合流させるステップと；
前記第３の熱交換器を出る前記ディーゼルストリッパ塔底生成物ストリームと、前記第４の熱交換器を出る前記ディーゼルストリッパ塔底生成物ストリームとの合流ストリームを前記ディーゼル水素処理プラントへ流すステップと；
をさらに備える、
請求項６に記載の方法。
【請求項８】
前記第３の熱交換器及び前記第４の熱交換器は、互いに並列に流体的に連結される、
請求項６に記載の方法。
【請求項９】
前記第１の熱交換器は、前記第３の熱交換器と前記第４の熱交換器との組み合わせに対して、流体的に直列に連結される、
請求項８に記載の方法。
【請求項１０】
前記硫黄回収プラントストリームは、前記ディーゼル水素処理プラントストリームを用いて間接的に加熱される、
請求項２に記載の方法。
【請求項１１】
前記硫黄回収プラントストリームを、前記ディーゼル水素処理プラントストリームを用いて間接的に加熱することは：
緩衝流体を受け取るステップと；
前記受け取った緩衝流体を、第１の緩衝流体ストリーム及び第２の緩衝流体ストリームに分割するステップと；
前記第１の緩衝流体ストリームを、前記第１の熱交換器内で、前記ディーゼル水素処理プラント内の前記ディーゼルストリッパ塔底生成物ストリームを用いて加熱するステップと；
前記第２の緩衝流体ストリームを、第２の熱交換器内で、前記ディーゼル水素処理プラント内の前記ディーゼルストリッパ塔頂ストリームを用いて加熱するステップと；
前記加熱された第１の緩衝流体ストリームと前記加熱された第２の緩衝流体ストリームとを合流させるステップと；
前記加熱された第１の緩衝流体ストリームと、前記加熱された第２の緩衝流体ストリームとの合流ストリームを、前記硫黄回収プラント内のアミン再生塔へ流すステップと；
を備える、
請求項１０に記載の方法。
【請求項１２】
アミン再生塔底留分ストリームを、第３の熱交換器で、前記加熱された第１の緩衝流体ストリームと、前記加熱された第２の緩衝流体ストリームとの前記合流ストリームを用いて加熱するステップと；
前記加熱された第１の緩衝流体ストリームと、前記加熱された第２の緩衝流体ストリームとの前記合流ストリームを、前記石油精製ガス分離プラント内のガス分離リボイラ側に流すステップと；
をさらに備える、
請求項１１に記載の方法。
【請求項１３】
前記ガス分離プラントの脱エタン塔ストリームを、第４の熱交換器で、前記加熱された第１の緩衝流体ストリームと前記加熱された第２の緩衝流体ストリームとの前記合流ストリームを用いて加熱するステップと；
Ｃ３／Ｃ４スプリッタ塔底ストリームを、第５の熱交換器で、前記加熱された第１の緩衝流体ストリームと前記加熱された第２の緩衝流体ストリームとの前記合流ストリームを用いて加熱するステップと；
をさらに備える、
請求項１２に記載の方法。
【請求項１４】
前記第４の熱交換器から出る前記加熱された第１の緩衝流体ストリームと前記加熱された第２の緩衝流体ストリームとの前記合流ストリームと、前記第５の熱交換器から出る前記加熱された第１の緩衝流体ストリームと前記加熱された第２の緩衝流体ストリームとの前記合流ストリームとを、さらに合流させるステップと；
前記第４の熱交換器から出る前記加熱された第１の緩衝流体ストリーム及び前記加熱された第２の緩衝流体ストリームとの合流ストリームと、前記第５の熱交換器から出る前記加熱された第１の緩衝流体ストリーム及び前記加熱された第２の緩衝流体ストリームとの合流ストリームとを、前記ディーゼル水素処理プラントへ流すステップと；
をさらに備える、
請求項１３に記載の方法。
【請求項１５】
前記第１の熱交換器と前記第２の熱交換器とは、互いに並列に流体的に連結され、前記第３の熱交換器は、記第１の熱交換器と前記第２の熱交換器との組み合わせと直列に流体的に連結され、前記第４の熱交換器と前記第５の熱交換器とは互いに並列に流体的に連結され、前記第３の熱交換器は、記第４の熱交換器と前記第５の熱交換器との組み合わせと直列に流体的に連結される、
請求項１３に記載の方法。
【請求項１６】
前記緩衝流体が、水又は油のいずれかを備える、
請求項１１に記載の方法。
【請求項１７】
前記第１の石油精製プラントは前記アミン再生プラントであり、前記ストリームは酸性ガス再生塔底ストリームであり、
前記第１の石油精製プラントにおける石油精製プロセスにおいて前記ディーゼル水素処理プラントストリームによって加熱された前記第１の石油精製プラントからの前記ストリームを利用する前記ステップは：
前記アミン再生プラント内の酸性ガス再生塔からの前記酸性ガス再生塔底ストリームを受け取るステップと；
前記受け取ったアミン再生塔底ストリームを第１のストリーム及び第２のストリームに分割するステップと；
前記第１のストリームを、前記第１の熱交換器で前記ディーゼル水素処理プラントの前記ディーゼルストリッパ塔底生成物ストリームを用いて直接的に加熱するステップと；
前記第２のストリームを、第２の熱交換器で前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリーム及び前記加熱された第２のストリームとの前記合流ストリームを、前記アミン再生プラント内の酸性ガス再生塔へ流すステップと；
を備える、
請求項１に記載の方法。
【請求項１８】
前記第１の熱交換器と前記第２の熱交換器とは、互いに並列に流体的に連結される、
請求項１７に記載の方法。
【請求項１９】
前記第１の石油精製プラントは前記ガス分離プラントであり、前記ストリームは前記ガス分離プラントストリームであり、
前記石油精製プロセスにおける前記ディーゼル水素処理プラントストリームによって加熱された、前記第１の石油精製プラントからの前記ストリームを利用する前記ステップは：
前記複数の石油精製プラントの前記サワーウォータストリッパプラントからサワーウォータストリッパプラントストリームを受け取るステップと；
前記受け取ったサワーウォータストリッパプラントストリームを第１のストリーム及び第２のストリームに分割するステップと；
前記第１のストリームを、前記第１の熱交換器で前記ディーゼル水素処理プラントの前記ディーゼルストリッパ塔底生成物ストリームを用いて加熱するステップと；
前記第２のストリームを、第２の熱交換器で前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの前記合流ストリームを、前記サワーウォータストリッパプラント内のサワーウォータストリッパへ流すステップと；
を備える、
請求項１に記載の方法。
【請求項２０】
Ｃ３／Ｃ４スプリッタ塔底ストリームを、第３の熱交換器で前記複数の石油精製プラントの天然ガス蒸気改質水素プラントの低温シフト（ＬＴＳ）転化生成物ストリームを用いて加熱するステップと；
前記ガス分離プラントの脱エタン塔底ストリームを、第４の熱交換器で前記加熱された第１のストリームと前記加熱された第２のストリームとの前記合流ストリームを用いて加熱するステップと；
をさらに備える、
請求項１９に記載の方法。
【請求項２１】
前記第１の熱交換器及び第２の熱交換器は流体的に互いに並列に連結され、前記第３の熱交換器及び第４の熱交換器は流体的に互いに並列に連結される、
請求項１９に記載の方法。
【請求項２２】
前記第１の石油精製プラントはアミン再生プラントであり、前記ストリームは酸性ガス再生塔底ストリームであり、
前記石油精製プロセスにおける前記ディーゼル水素処理プラントストリームによって加熱された、前記第１の石油精製プラントからの前記ストリームを利用する前記ステップは：
緩衝流体を受け取るステップと；
前記受け取った緩衝流体を、第１のストリーム及び第２のストリームに分割するステップと；
前記第１のストリームを、前記第１の熱交換器で前記ディーゼル水素処理プラントの前記ディーゼルストリッパ塔底生成物ストリームを用いて加熱するステップと；
前記第２のストリームを、第２の熱交換器で前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの前記合流ストリームを、アミン再生プラント内の酸性ガス回収塔のリボイラ側へ流すステップと；
を備える、
請求項１に記載の方法。
【請求項２３】
前記受け取った緩衝流体を第３のストリームに分割するステップと；
前記第３のストリームを前記複数の石油精製プラントの天然ガス蒸気改質水素プラントへ流すステップと；
前記第３のストリームを、第３の熱交換器で低温シフト（ＬＴＳ）転化生成物ストリームを用いて加熱するステップと；
前記加熱した緩衝流体を前記酸性ガス回収塔のリボイラ側へ流すステップと；
をさらに備える、
請求項２２に記載の方法。
【請求項２４】
前記ディーゼル水素処理プラントからの前記加熱された第１のストリーム及び前記加熱された第２のストリームと、前記低温シフト（ＬＴＳ）転化生成物ストリームからの前記加熱された第３のストリームとを合流させるステップと；
前記酸性ガス再生塔底ストリームを、前記加熱された第１のストリーム、前記加熱された第２のストリーム及び前記加熱された第３のストリームとの前記合流ストリームを用いて加熱するステップと；
をさらに備える、
請求項２２に記載の方法。
【請求項２５】
前記第１の熱交換器、前記第２の熱交換器及び前記第３の熱交換器は、互いに並列に流体的に連結される、
請求項２４に記載の方法。
【請求項２６】
前記第１の石油精製プラントは前記ガス分離プラントであり、前記ストリームは前記ガス分離プラントストリームであり、前記ガス分離プラントストリームは、前記ディーゼル水素処理プラントストリームを用いて直接的又は間接的に加熱され、
前記ガス分離プラントストリームを、前記ディーゼル水素処理プラントストリームを用いて直接的に加熱することは：
前記原油精製施設のサワーウォータストリッパプラントからサワーウォータストリッパプラントストリームを受け取るステップと；
前記受け取ったサワーウォータストリッパプラントストリームを第１のストリーム及び第２のストリームに分割するステップと；
前記第１のストリームを、前記第１の熱交換器で前記ディーゼル水素処理プラントの前記ディーゼルストリッパ塔底生成物ストリームを用いて加熱するステップと；
前記第２のストリームを、第２の熱交換器で前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの合流ストリームを、前記サワーウォータストリッパプラントのサワーウォータストリッパへ流すステップと；
を備える、
請求項１に記載の方法。
【請求項２７】
前記サワーウォータストリッパストリームを、第３の熱交換器で、前記複数の石油精製プラントの天然ガス蒸気改質水素プラントの低温シフト（ＬＴＳ）転化生成物ストリームを用いて加熱するステップと；
前記加熱されたサワーウォータストリッパストリームを、前記サワーウォータストリッパプラントの前記サワーウォータストリッパへ流すステップと；
をさらに備える、
請求項２６に記載の方法。
【請求項２８】
前記加熱された第１のストリーム及び前記加熱された第２のストリームを前記加熱されたサワーウォータストリッパストリームと合流させるステップと；
前記加熱された第１のストリーム及び前記加熱された第２のストリームと、前記加熱されたサワーウォータストリッパストリームとの前記合流ストリームを、前記ガス分離プラントへ流すステップと；
前記ガス分離プラント内のＣ３／Ｃ４スプリッタを、前記加熱された第１のストリーム、前記加熱された第２のストリーム及び前記加熱されたサワーウォータストリッパストリームを用いて、第４の熱交換器で加熱するステップと；
前記ガス分離プラント内の脱エタン塔リボイラを第５の熱交換器で、前記第４の熱交換器を出る、前記加熱された第１のストリーム及び前記加熱された第２のストリームと、前記加熱されたサワーウォータストリッパストリームとの前記合流ストリームを用いて加熱するステップと；
前記第５の熱交換器から出る、前記加熱された第１のストリーム及び前記加熱された第２のストリームと、前記加熱されたサワーウォータストリッパストリームとの前記合流ストリームを、前記天然ガス蒸気改質水素プラントへ流し、前記加熱された第１のストリーム及び前記加熱された第２のストリームとの前記合流ストリームは前記低温シフト（ＬＴＳ）転化生成物ストリームによって加熱されるステップと；
をさらに備える、
請求項２７に記載の方法。
【請求項２９】
前記第１の熱交換器の前記サワーウォータストリッパストリームで冷却された前記水素プラントの第３のストリームを前記ガス分離プラントへ流すステップと；
前記ガス分離プラント内の前記Ｃ３／Ｃ４スプリッタを、前記第１の熱交換器と前記第１の熱交換器と直列の前記第４の熱交換器で、前記サワーウォータストリッパストリームで冷却された第３のストリームを用いて加熱するステップと；
前記ガス分離プラント内の脱エタン塔リボイラを前記第５の熱交換器で、前記第１の熱交換器と直列の前記第４の熱交換器を出る前記ストリームを用いて加熱するステップと；
前記第５の熱交換器から出る合流し冷却された第１のストリームを前記天然ガス蒸気改質水素プラントへ流すステップであって、サワーストリッパで加熱された第１のストリーム及びガス分離プラントで加熱されたストリームが前記低温シフト（ＬＴＳ）転化生成物ストリームによって加熱される、ステップと；
をさらに備える、
請求項２８に記載の方法。
【請求項３０】
前記第１の熱交換器と前記第２の熱交換器と前記第３の熱交換器とは、互いに並列で流体的に連結され、前記第３の熱交換器と前記第４の熱交換器と前記第５の熱交換器とは、互いに直列で流体的に連結される、
請求項２９に記載の方法。
【請求項３１】
前記ガス分離プラントストリームを、前記ディーゼル水素処理プラントストリームを用いて間接的に加熱することは：
緩衝流体を受け取るステップと；
前記受け取った緩衝流体を、第１のストリーム及び第２のストリームに分割するステップと；
前記第１のストリームを、前記第１の熱交換器で、前記ディーゼル水素処理プラントの前記ディーゼルストリッパ塔底生成物ストリームを用いて加熱するステップと；
前記第２のストリームを、第２の熱交換器で、前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの合流ストリームを、前記サワーウォータストリッパプラント内のサワーウォータストリッパへ流すステップと；
を備える、
請求項２６に記載の方法。
【請求項３２】
第３の熱交換器において、前記加熱された第１のストリームと前記加熱された第２のストリームとの前記合流ストリームを、前記複数の石油精製プラントの天然ガス蒸気改質水素プラント内の低温シフト（ＬＴＳ）転化生成物ストリームを用いて、さらに加熱する、
請求項３１に記載の方法。
【請求項３３】
前記加熱された第１のストリームと前記加熱された第２のストリームとの前記合流ストリームを前記天然ガス蒸気改質水素プラントから前記ガス分離プラントに流すステップと；
前記ガス分離プラント内のＣ３／Ｃ４スプリッタを、前記加熱された第１のストリームと前記加熱された第２のストリームとの前記合流ストリームを用いて、第４の熱交換器で加熱するステップと；
前記ガス分離プラントの脱エタン塔リボイラを、第５の熱交換器で、前記第４の熱交換器を出る前記加熱された第１のストリームと前記加熱された第２のストリームとの前記合流ストリームを用いて加熱するステップと；
をさらに備える、
請求項３２に記載の方法。
【請求項３４】
前記第５の熱交換器から出る前記加熱された第１のストリームと、前記加熱された第２のストリームとの前記合流ストリームを、前記天然ガス蒸気改質水素プラントに流し、前記加熱された第１のストリームと前記加熱された第２のストリームとの前記合流ストリームは前記低温シフト（ＬＴＳ）転化生成物ストリームによって加熱される、
請求項３３に記載の方法。
【請求項３５】
前記第１の熱交換器、前記第２の熱交換器及び前記第３熱の交換器は、流体的に互いに並列に連結され、前記第４の熱交換器は前記第１の熱交換器、前記第２の熱交換器及び前記第３の熱交換器の組み合わせに直列で流体的に連結される、
請求項３４に記載の方法。
【請求項３６】
前記第１の石油精製プラントは前記アミン再生プラントであり、前記ストリームは酸性ガス再生塔底ストリームであり、
前記酸性ガス再生塔底ストリームを加熱するステップは：
アミン再生プラント内の酸性ガス再生塔から酸性ガス再生塔底留分を受け取るステップと；
前記受け取った酸性ガス再生塔底留分を第１のストリーム及び第２のストリームに分割するステップと；
前記第１のストリームを、前記第１の熱交換器で、前記ディーゼル水素処理プラントの前記ディーゼルストリッパ塔底生成物ストリームを用いて加熱するステップと；
前記第２のストリームを、第２の熱交換器で、前記ディーゼル水素処理プラントの前記ディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの前記合流ストリームを、前記酸性ガス再生塔へ流すステップと；
を備える、
請求項１に記載の方法。
【請求項３７】
前記受け取った酸性ガス再生塔底留分を、第３のストリームに分割するステップと；
前記原油精製施設の天然ガス蒸気改質水素プラント内の低温シフト転化装置を出るストリームを用いて前記第３のストリームを加熱するステップと；
前記第３のストリームを、前記酸性ガス再生塔へ流すステップと；
をさらに備える、
請求項３６に記載の方法。
【請求項３８】
前記加熱された第３のストリームを、前記加熱された第１のストリームと前記加熱された第２のストリームとに合流させるステップと；
前記酸性ガス再生塔底留分を、前記加熱された第１のストリームと、前記加熱された第２のストリームと、前記加熱された第３のストリームとの前記合流ストリームを用いて加熱するステップと；
前記酸性ガス再生塔底留分を出る前記加熱された第１のストリームと、前記加熱された第２のストリームと、前記加熱された第３のストリームとの前記合流ストリームを、前記ディーゼル水素処理プラント及び前記天然ガス蒸気改質水素プラントへ流すステップと；
をさらに備える、
請求項３７に記載の方法。
【請求項３９】
前記第１の熱交換器及び前記第２の熱交換器は、互いに並列に流体的に連結される、
請求項３８に記載の方法。
【手続補正２】
【補正対象書類名】明細書
【補正対象項目名】０１２４
【補正方法】変更
【補正の内容】
【０１２４】
以上、このように本主題の特定の実施について説明した。その他の実施は、以下に続く特許請求項の範囲に含まれる。
以下、本発明の実施の態様の例を列挙する。
［第１の局面］
複数の石油精製プラントを含む原油精製施設で実施される方法であって：
前記複数の石油精製プラントはそれぞれ、少なくとも１つの石油精製プロセスを実行するように構成され、前記複数の石油精製プラントはそれぞれ、複数の相互接続された石油精製サブシステムを含み、複数のストリームがそれぞれの温度で、前記複数の石油精製サブシステム間を流れる、前記原油精製施設における下記のステップ：
ディーゼル水素処理プラントストリームを、前記複数の石油精製プラントのうちのディーゼル水素処理プラントから第１の熱交換器へ流すステップと；
ストリームを、前記ディーゼル水素処理プラントとは異なる、前記複数の石油精製プラントのうちの第１の石油精製プラントから前記第１の熱交換器へ流すステップであって、前記第１の熱交換器は、熱を、前記ディーゼル水素処理プラントストリームから前記第１の石油精製プラントからの前記ストリームへ伝達するステップと；
前記第１の石油精製プラントにおける石油精製プロセスで前記ディーゼル水素処理プラントストリームによって加熱された前記第１の石油精製プラントからの前記ストリームを利用するステップと；
を備える、
方法。
［第２の局面］
前記第１の石油精製プラントは硫黄回収プラントであり、前記ストリームは硫黄回収プラントストリームであり、
前記石油精製プロセスの前記ディーゼル水素処理プラントストリームによって加熱された前記第１の石油精製プラントからの前記ストリームを利用する前記ステップは：
前記ディーゼル水素処理プラントストリームによって加熱された前記硫黄回収プラントストリームを、第２の熱交換器へ流すステップと；
前記複数の石油精製プラントのうちの石油精製ガス分離プラント内の石油精製ガス分離プラントストリームを、前記第２の熱交換器へ流すステップと；
前記第２の熱交換器において、加熱された前記硫黄回収プラントストリームを用いて、前記石油精製ガス分離プラントストリームを加熱するステップと；
を備える、
第１の局面の方法。
［第３の局面］
前記硫黄回収プラントストリームはアミン再生塔底ストリームを含み、前記アミン再生塔底ストリームは、前記ディーゼル水素処理プラントストリームを用いて、以下のステップ：
前記アミン再生塔底ストリームを、第１のストリーム及び第２のストリームに分割するステップと；
前記第１のストリームを、前記第１の熱交換器において前記ディーゼル水素処理プラントのディーゼルストリッパ塔底生成物ストリームを用いて加熱するステップと；
前記第２のストリームを、第２の熱交換器において前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの合流ストリームを、前記硫黄回収プラント内の硫黄回収塔底へ流すステップと；
により直接的に加熱される、
第１の局面の方法。
［第４の局面］
前記第１の熱交換器及び前記第２の熱交換器は、互いに並列に流体的に連結される、
第３の局面の方法。
［第５の局面］
前記第１の熱交換器を通って流された前記ディーゼルストリッパ塔底生成物ストリームを、前記石油精製ガス分離プラント内のガス分離リボイラ側へ流すステップと；
をさらに備える、
第３の局面の方法。
［第６の局面］
ガス分離プラント脱エタン塔ストリームを、第３の熱交換器で、前記ディーゼルストリッパ塔底生成物ストリームを用いて加熱するステップと；
Ｃ３／Ｃ４スプリッタ塔底ストリームを、第４の熱交換器で、前記ディーゼルストリッパ塔底生成物ストリームを用いて加熱するステップと；
をさらに備える、
第５の局面の方法。
［第７の局面］
前記第３の熱交換器を出る前記ディーゼルストリッパ塔底生成物ストリームと、前記第４の熱交換器を出る前記ディーゼルストリッパ塔底生成物ストリームとを合流させるステップと；
前記第３の熱交換器を出る前記ディーゼルストリッパ塔底生成物ストリームと、前記第４の熱交換器を出る前記ディーゼルストリッパ塔底生成物ストリームとの合流ストリームを前記ディーゼル水素処理プラントへ流すステップと；
をさらに備える、
第６の局面の方法。
［第８の局面］
前記第３の熱交換器及び前記第４の熱交換器は、互いに並列に流体的に連結される、
第６の局面の方法。
［第９の局面］
前記第１の熱交換器は、前記第３の熱交換器と前記第４の熱交換器との組み合わせに対して、流体的に直列に連結される、
第８の局面の方法。
［第１０の局面］
前記硫黄回収プラントストリームは、前記ディーゼル水素処理プラントストリームを用いて間接的に加熱される、
第２の局面の方法。
［第１１の局面］
前記ディーゼル水素処理プラントストリームを用いて前記硫黄回収プラントストリームを間接的に加熱する前記ステップは：
緩衝流体を受け取るステップと；
前記受け取った緩衝流体を、第１の緩衝流体ストリーム及び第２の緩衝流体ストリームに分割するステップと；
前記第１の緩衝流体ストリームを、前記第１の熱交換器内で、前記ディーゼル水素処理プラント内のディーゼルストリッパ塔底生成物ストリームを用いて加熱するステップと；
前記第２の緩衝流体ストリームを、第２の熱交換器内で、前記ディーゼル水素処理プラント内のディーゼルストリッパ塔頂ストリームを用いて加熱するステップと；
前記加熱された第１の緩衝流体ストリームと前記加熱された第２の緩衝流体ストリームとを合流させるステップと；
前記加熱された第１の緩衝流体ストリームと、前記加熱された第２の緩衝流体ストリームとの合流ストリームを、前記硫黄回収プラント内の硫黄回収塔底へ流すステップと；
を備える、
第１０の局面の方法。
［第１２の局面］
前記硫黄回収塔底の硫黄回収塔底留分ストリームを、第３の熱交換器で、前記加熱された第１の緩衝流体ストリームと、前記加熱された第２の緩衝流体ストリームとの前記合流ストリームを用いて加熱するステップと；
前記加熱された第１の緩衝流体ストリームと、前記加熱された第２の緩衝流体ストリームとの前記合流ストリームを、前記石油精製ガス分離プラント内のガス分離リボイラ側に流すステップと；
をさらに備える、
第１１の局面の方法。
［第１３の局面］
前記ガス分離プラントの脱エタン塔ストリームを、第４の熱交換器で、前記加熱された第１の緩衝流体ストリームと前記加熱された第２の緩衝流体ストリームとの前記合流ストリームを用いて加熱するステップと；
Ｃ３／Ｃ４スプリッタ塔底ストリームを、第５の熱交換器で、前記加熱された第１の緩衝流体ストリームと前記加熱された第２の緩衝流体ストリームとの前記合流ストリームを用いて加熱するステップと；
をさらに備える、
第１２の局面の方法。
［第１４の局面］
前記第４の熱交換器から出る前記加熱された第１の緩衝流体ストリームと前記加熱された第２の緩衝流体ストリームとの前記合流ストリームと、前記第５の熱交換器から出る前記加熱された第１の緩衝流体ストリームと前記加熱された第２の緩衝流体ストリームとの前記合流ストリームとを、さらに合流させるステップと；
前記第４の熱交換器から出る前記加熱された第１の緩衝流体ストリーム及び前記加熱された第２の緩衝流体ストリームとの合流ストリームと、前記第５の熱交換器から出る前記加熱された第１の緩衝流体ストリーム及び前記加熱された第２の緩衝流体ストリームとの合流ストリームとを、前記ディーゼル水素処理プラントへ流すステップと；
をさらに備える、
第１３の局面の方法。
［第１５の局面］
前記第１の熱交換器と前記第２の熱交換器とは、互いに並列に流体的に連結され、前記第３の熱交換器は、記第１の熱交換器と前記第２の熱交換器との組み合わせと直列に流体的に連結され、前記第４の熱交換器と前記第５の熱交換器とは互いに並列に流体的に連結され、前記第３の熱交換器は、記第４の熱交換器と前記第５の熱交換器との組み合わせと直列に流体的に連結される、
第１３の局面の方法。
［第１６の局面］
前記緩衝流体が、水又は油のいずれかを備える、
第１１の局面の方法。
［第１７の局面］
前記第１の石油精製プラントはアミン再生プラント分離区画であり、前記ストリームは酸性ガス再生塔底ストリームであり、
前記第１の石油精製プラントにおける石油精製プロセスにおいて前記ディーゼル水素処理プラントストリームによって加熱された前記第１の石油精製プラントからの前記ストリームを利用する前記ステップは：
前記アミン再生プラント分離区画内のアミン再生プラント分離区画アミン再生塔底からの前記酸性ガス再生塔底ストリームを受け取るステップと；
前記受け取ったアミン再生塔底ストリームを第１のストリーム及び第２のストリームに分割するステップと；
前記第１のストリームを、前記第１の熱交換器で前記ディーゼル水素処理プラントのディーゼルストリッパ塔底生成物ストリームを用いて直接的に加熱するステップと；
前記第２のストリームを、第２の熱交換器で前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリーム及び前記加熱された第２のストリームとの前記合流ストリームを、前記アミン再生プラント分離区画の酸性ガス回収再生塔底へ流すステップと；
を備える、
第１の局面の方法。
［第１８の局面］
前記第１の熱交換器と前記第２の熱交換器とは、互いに並列に流体的に連結される、
第１７の局面の方法。
［第１９の局面］
前記第１の石油精製プラントはガス分離プラントであり、前記ストリームはガス分離プラントストリームであり、
石油精製プロセスにおける前記ディーゼル水素処理プラントストリームによって加熱された、前記第１の石油精製プラントからの前記ストリームを利用する前記ステップは：
前記複数の石油精製プラントのサワーウォータストリッパからサワーウォータストリッパプラントストリームを受け取るステップと；
前記受け取ったサワーウォータストリッパプラントストリームを第１のストリーム及び第２のストリームに分割するステップと；
前記第１のストリームを、前記第１の熱交換器で前記ディーゼル水素処理プラントのディーゼルストリッパ塔底生成物ストリームを用いて加熱するステップと；
前記第２のストリームを、第２の熱交換器で前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの前記合流ストリームを、前記サワーウォータストリッパプラント内のサワーウォータストリッパ塔底へ流すステップと；
を備える、
第１の局面の方法。
［第２０の局面］
Ｃ３／Ｃ４スプリッタ塔底ストリームを、第３の熱交換器で前記複数の石油精製プラントの天然ガス蒸気改質水素プラントの低温シフト（ＬＴＳ）転化生成物ストリームを用いて加熱するステップと；
ガス分離プラントの脱エタン塔底ストリームを、第４の熱交換器で前記加熱された第１のストリームと前記加熱された第２のストリームとの前記合流ストリームを用いて加熱するステップと；
をさらに備える、
第１９の局面の方法。
［第２１の局面］
前記第１の熱交換器及び第２の熱交換器は流体的に互いに並列に連結され、前記第３の熱交換器及び第４の熱交換器は流体的に互いに並列に連結される、
第１９の局面の方法。
［第２２の局面］
前記第１の石油精製プラントは酸性ガス再生塔であり、前記ストリームは酸性ガス再生塔底ストリームであり、
石油精製プロセスにおける前記ディーゼル水素処理プラントストリームによって加熱された、前記第１の石油精製プラントからの前記ストリームを利用する前記ステップは：
緩衝流体を受け取るステップと；
前記受け取った緩衝流体を、第１のストリーム及び第２のストリームに分割するステップと；
前記第１のストリームを、前記第１の熱交換器で前記ディーゼル水素処理プラントのディーゼルストリッパ塔底生成物ストリームを用いて加熱するステップと；
前記第２のストリームを、第２の熱交換器で前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの前記合流ストリームを、アミン再生プラント分離区画の酸性ガス回収塔のリボイラ側へ流すステップと；
を備える、
第１の局面の方法。
［第２３の局面］
前記受け取った緩衝流体を第３のストリームに分割するステップと；
前記第３のストリームを前記複数の石油精製プラントの天然ガス蒸気改質水素プラントへ流すステップと；
前記第３のストリームを、第３の熱交換器で低温シフト（ＬＴＳ）転化生成物ストリームを用いて加熱するステップと；
前記加熱した緩衝流体を前記酸性ガス回収塔のリボイラ側へ流すステップと；
をさらに備える、
第２２の局面の方法。
［第２４の局面］
前記ディーゼル水素処理プラントからの前記加熱された第１のストリーム及び前記加熱された第２のストリームと、前記低温シフト（ＬＴＳ）転化生成物ストリームからの前記加熱された第３のストリームとを合流させるステップと；
前記酸性ガス再生塔底ストリームを、前記加熱された第１のストリーム、前記加熱された第２のストリーム及び前記加熱された第３のストリームとの前記合流ストリームを用いて加熱するステップと；
をさらに備える、
第２２の局面の方法。
［第２５の局面］
前記第１の熱交換器、前記第２の熱交換器及び前記第３の熱交換器は、互いに並列に流体的に連結される、
第２４の局面の方法。
［第２６の局面］
前記第１の石油精製プラントはガス分離プラントであり、前記ストリームはガス分離プラントストリームであり、前記ガス分離プラントストリームは前記ディーゼル水素処理プラントストリームを用いて直接的又は間接的に加熱され、
前記ガス分離プラントストリームを、前記ディーゼル水素処理プラントストリームを用いて直接的に加熱する前記ステップは：
前記原油精製施設のサワーウォータストリッパプラントからサワーウォータストリッパプラントストリームを受け取るステップと；
前記受け取ったサワーウォータストリッパプラントストリームを第１のストリーム及び第２のストリームに分割するステップと；
前記第１のストリームを、前記第１の熱交換器で前記ディーゼル水素処理プラントのディーゼルストリッパ塔底生成物ストリームを用いて加熱するステップと；
前記第２のストリームを、第２の熱交換器で前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの合流ストリームを、前記サワーウォータストリッパプラントのサワーウォータストリッパ塔底へ流すステップと；
を備える、
第１の局面の方法。
［第２７の局面］
前記サワーウォータストリッパストリームを、第３の熱交換器で、前記複数の石油精製プラントの天然ガス蒸気改質水素プラントの低温シフト（ＬＴＳ）転化生成物ストリームを用いて加熱するステップと；
前記加熱されたサワーウォータストリッパストリームを、前記サワーウォータストリッパプラントの前記サワーウォータストリッパ塔底へ流すステップと；
をさらに備える、
第２６の局面の方法。
［第２８の局面］
前記加熱された第１のストリーム及び前記加熱された第２のストリームを前記加熱されたサワーウォータストリッパのストリームと合流させるステップと；
前記加熱された第１のストリーム及び前記加熱された第２のストリームと、前記加熱されたサワーウォータストリッパストリームとの前記合流ストリームを、前記ガス分離プラントへ流すステップと；
前記ガス分離プラント内のＣ３／Ｃ４スプリッタを、前記加熱された第１のストリーム、前記加熱された第２のストリーム及び前記加熱されたサワーウォータストリッパストリームを用いて、第４の熱交換器で加熱するステップと；
前記ガス分離プラント内の脱エタン塔リボイラを第５の熱交換器で、前記第４の熱交換器を出る、前記加熱された第１のストリーム及び前記加熱された第２のストリームと、前記加熱されたサワーウォータストリッパのストリームとの前記合流ストリームを用いて加熱するステップと；
第５の熱交換器から出る、前記加熱された第１のストリーム及び前記加熱された第２のストリームと、前記加熱されたサワーウォータストリッパのストリームとの前記合流ストリームを、前記天然ガス蒸気改質水素プラントへ流し、前記加熱された第１のストリーム及び前記加熱された第２のストリームとの前記合流ストリームは前記低温シフト（ＬＴＳ）転化生成物ストリームによって加熱されるステップと；
をさらに備える、
第２７の局面の方法。
［第２９の局面］
前記第１の熱交換器の前記サワーウォータストリッパストリームで冷却された前記水素プラントの第３のストリームを前記ガス分離プラントへ流すステップと；
前記ガス分離プラント内の前記Ｃ３／Ｃ４スプリッタを、前記第１の熱交換器と前記第１の熱交換器と直列の前記第４の熱交換器で、前記サワーウォータストリッパのストリームで冷却された第３のストリームを用いて加熱するステップと；
前記ガス分離プラント内の脱エタン塔リボイラを前記第５の熱交換器で、前記第１の熱交換器と直列の前記第４の熱交換器を出る前記ストリームを用いて加熱するステップと；
前記第５の熱交換器から出る合流し冷却された第１のストリームを前記天然ガス蒸気改質水素プラントへ流すステップであって、サワーストリッパで加熱された第１のストリーム及びガス分離プラントで加熱されたストリームが前記低温シフト（ＬＴＳ）転化生成物ストリームによって加熱されるステップと；
をさらに備える、
第２８の局面の方法。
［第３０の局面］
前記第１の熱交換器と前記第２の熱交換器と前記第３の熱交換器とは、互いに並列で流体的に連結され、前記第３の熱交換器と前記第４の熱交換器と前記第５の熱交換器とは、互いに直列で流体的に連結される、
第２９の局面の方法。
［第３１の局面］
前記ディーゼル水素処理プラントストリームを用いて間接的に前記ガス分離プラントストリームを加熱する前記ステップは：
緩衝流体を受け取るステップと；
前記受け取った緩衝流体を、第１のストリーム及び第２のストリームに分割するステップと；
前記第１のストリームを、前記第１の熱交換器で、前記ディーゼル水素処理プラントのディーゼルストリッパ塔底生成物ストリームを用いて加熱するステップと；
前記第２のストリームを、第２の熱交換器で、前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの合流ストリームを、前記サワーウォータストリッパプラント内のサワーウォータストリッパ塔底へ流すステップと；
を備える、
第２６の局面の方法。
［第３２の局面］
第３の熱交換器において、前記加熱された第１のストリームと前記加熱された第２のストリームとの前記合流ストリームを、前記複数の石油精製プラントの天然ガス蒸気改質水素プラント内の低温シフト（ＬＴＳ）転化生成物ストリームを用いて、さらに加熱する、
第３１の局面の方法。
［第３３の局面］
前記加熱された第１のストリームと前記加熱された第２のストリームとの前記合流ストリームを前記天然ガス蒸気改質水素プラントから前記ガス分離プラントに流すステップと；
前記ガス分離プラント内のＣ３／Ｃ４スプリッタを、前記加熱された第１のストリームと前記加熱された第２のストリームとの前記合流ストリームを用いて、第４の熱交換器で加熱するステップと；
前記ガス分離プラントの脱エタン塔リボイラを、第５の熱交換器で、前記第４の熱交換器を出る前記加熱された第１のストリームと前記加熱された第２のストリームとの前記合流ストリームを用いて加熱するステップと；
をさらに備える、
第３２の局面の方法。
［第３４の局面］
前記第５の熱交換器から出る前記加熱された第１のストリームと、前記加熱された第２のストリームとの前記合流ストリームを、前記天然ガス蒸気改質水素プラントに流し、前記加熱された第１のストリームと前記加熱された第２のストリームとの前記合流ストリームは前記低温シフト（ＬＴＳ）転化生成物ストリームによって加熱される、
第３３の局面の方法。
［第３５の局面］
前記第１の熱交換器、前記第２の熱交換器及び前記第３熱の交換器は、流体的に互いに並列に連結され、前記第４の熱交換器は前記第１の熱交換器、前記第２の熱交換器及び前記第３の熱交換器の組み合わせに直列で流体的に連結される、
第３４の局面の方法。
［第３６の局面］
前記第１の石油精製プラントはアミン再生プラント分離区画であり、前記ストリームは酸性ガス再生塔底ストリームであり、
前記酸性ガス再生塔底ストリームを加熱するステップは：
酸性ガス再生塔底ストリームにおいて、アミン再生プラント分離区画アミン再生塔底ストリームから酸性ガス再生塔底留分を受け取るステップと；
前記受け取った酸性ガス再生塔底留分アミン再生塔底ストリームを第１のストリーム及び第２のストリームに分割するステップと；
前記第１のストリームを、前記第１の熱交換器で、前記ディーゼル水素処理プラントのディーゼルストリッパ塔底生成物ストリームを用いて加熱するステップと；
前記第２のストリームを、第２の熱交換器で、前記ディーゼル水素処理プラントのディーゼルストリッパ塔頂ストリームを用いて加熱するステップと；
前記加熱された第１のストリームと前記加熱された第２のストリームとを合流させるステップと；
前記加熱された第１のストリームと前記加熱された第２のストリームとの前記合流ストリームを、前記酸性ガス再生塔底留分アミン再生塔底ストリームへ流すステップと；
を備える、
第１の局面の方法。
［第３７の局面］
前記受け取った酸性ガス再生塔底留分アミン再生塔底ストリームを、第３のストリームに分割するステップと；
前記原油精製施設の天然ガス蒸気改質水素プラント内の低温シフト転化装置を出るストリームを用いて前記第３のストリームを加熱するステップと；
前記第３のストリームを、前記酸性ガス再生塔底留分アミン再生塔底ストリームへ流すステップと；
をさらに備える、
第３６の局面の方法。
［第３８の局面］
前記加熱された第３のストリームを、前記加熱された第１のストリームと前記加熱された第２のストリームとに合流させるステップと；
前記酸性ガス再生塔底留分アミン再生塔底ストリームを、前記加熱された第１のストリームと、前記加熱された第２のストリームと、前記加熱された第３のストリームとの前記合流ストリームを用いて加熱するステップと；
前記酸性ガス再生塔底留分アミン再生塔底ストリームを出る前記加熱された第１のストリームと、前記加熱された第２のストリームと、前記加熱された第３のストリームとの前記合流ストリームを、前記ディーゼル水素処理プラント及び前記天然ガス蒸気改質水素プラントへ流すステップと；
をさらに備える、
第３７の局面の方法。
［第３９の局面］
前記第１の熱交換器及び前記第２の熱交換器は、互いに並列に流体的に連結される、
第３８の局面の方法。
［第４０の局面］
原油精製施設で実施されるシステムであって、第１の局面に記載の方法を実施するように構成される、
システム。
［第４１の局面］
前記システムが流量制御システムを備える、
第４０の局面のシステム。